(57)【要約】【課題】点検作業時間を短縮することができるガス警報器を提供すること。【解決手段】ガスセンサ１２で検出されたガス濃度が所定の警報濃度以上となった際に、ガス濃度が異常となった旨の警報を報知するガス警報器において、通常動作モードと点検動作モードを切り換え制御する動作モード制御手段１６であって、ガス濃度の検出期間中所定のタイミングでガスセンサ１２でガス濃度を検出し、通常動作モード時には、検出されたガス濃度が通常動作モード用警報濃度以上となった際に、ガス濃度が異常となった旨の警報を報知すると共に、点検動作モード時には、検出されたガス濃度が通常動作モード用警報濃度以上となった際に、ガス濃度が異常となった旨の警報を開始し、その後検出されたガス濃度が少なくとも２回連続して前回検出値以下となった場合に強制的に警報を停止する動作モード制御手段１６を備えている。【選択図】図１
2007012094.tif 000002
【特許請求の範囲】
【請求項１】
ガスセンサで検出されたガス濃度が所定の警報濃度以上となった際に、ガス濃度が異常となった旨の警報を報知するガス警報器において、
通常動作モードと点検動作モードを切り換え制御する動作モード制御手段であって、ガス濃度の検出期間中所定のタイミングで前記ガスセンサでガス濃度を検出し、通常動作モード時には、検出されたガス濃度が通常動作モード用警報濃度以上となった際に、ガス濃度が異常となった旨の警報を報知すると共に、点検動作モード時には、検出されたガス濃度が通常動作モード用警報濃度以上となった際に、ガス濃度が異常となった旨の警報を開始し、その後検出されたガス濃度が少なくとも２回連続して前回検出値以下となった場合に強制的に警報を停止する動作モード制御手段を備えた
ことを特徴とするガス警報器。
【請求項２】
前記ガスセンサは、２種類のガスに対するガス濃度を検出してガス濃度信号を生成するセンサ素子と、該センサ素子を加熱するヒータとを有する
ことを特徴とする請求項１記載のガス警報器。
【請求項３】
前記ガス濃度の検出期間中に前記２種類のガスのそれぞれに対応して前記センサ素子を加熱するための第１ガスモード加熱信号および第２ガスモード加熱信号を生成する前記動作モード制御手段と、
前記第１ガスモード加熱信号または前記第２ガスモード加熱信号に基づいて、前記ヒータを作動するための加熱信号を生成する加熱駆動手段とを有する
ことを特徴とする請求項２記載のガス警報器。
【請求項４】
前記動作モード制御手段は、前記第１ガスモード加熱信号が印加されている間または前記第２ガスモード加熱信号が印加されている間の所定のタイミングで、前記ガスセンサにおける前記ガス濃度信号の生成を命令するためのイネーブル信号を生成するセンサ制御部を有する
ことを特徴とする請求項２記載のガス警報器。
【請求項５】
前記動作モード制御手段は、電源オン時にガス警報器を所定時間の間点検動作モードで動作させ、上記所定時間経過後前記ガス警報器を点検動作モードから通常動作モードに切り換えて動作させる
ことを特徴とする請求項１から４のいずれか１項に記載のガス警報器。
【発明の詳細な説明】
【技術分野】
【０００１】
本発明は、ガス警報器に関し、特に通常動作モードおよび点検動作モードを有するガス警報器に関する。
【背景技術】
【０００２】
通常、ガス警報器に用いられるセンサとしては、接触燃焼式や半導体式のガスセンサが一般的である。接触燃焼式ガスセンサは、通常、２０〜５０μｍの細い白金線をコイル状に形成し、そのコイル上に触媒を塗布、乾燥、焼成を行い、ガスセンサとしている。
【０００３】
このガスセンサによるガス検知は、都市ガスあるいはＬＰガスが存在すると、その中に含まれるメタン、イソブタン、水素と触媒との反応熱で、白金コイルの抵抗値が上昇する原理を利用している。半導体式ガスセンサは、接触燃焼式ガスセンサと同様に、コイル上に触媒を塗布、乾燥、焼成を行い、ガスセンサとしている。半導体式ガスセンサの半導体表面にガスが接触すると、半導体と吸着分子との間に電子の授受が起こり、その電気伝導度が変化するので、この電気伝導度の変化を検出することにより、ガスを検知することができる。
【発明の開示】
【発明が解決しようとする課題】
【０００４】
都市ガスまたはＬＰガスの検知と、不完全燃焼ガスの検知、火災の検知を組み合わせた複合型警報器においては、ユーザ宅への設置時、センサ特性を確認するため、ライター等の生ガスや一酸化炭素ガスを用いて点検を行う。現行警報器の場合、機種によっても異なるが、たとえば、電源投入後１０分間は点検モードとしているので、点検作業に時間がかかるという問題がある。
【０００５】
また、点検モードの間センサがある設定点以上のガスに反応すると、遅延を無視し即鳴動する。その際、過度にセンサへガスを吹きかけると、センサ内部にある活性炭にこれらのガスが吸着し、点検終了後も鳴り止まないという問題が生じる。また、仮に鳴り止んだとしても、作業終了後、活性炭に吸着したガスが徐々に離脱し、再鳴動してしまう危険性もある。
【０００６】
また、一酸化炭素をＳｎＯ2 を主成分とした半導体式ガスセンサで検出する場合、センサ素子の温度を４００℃程度と１００℃程度の温度サイクルで使用し、１００℃の温度領域で一酸化炭素を検出する方法が採られており、センサ素子温度が低いことおよび温度サイクルにより検出を行うことで、応答速度的には都市ガスあるいはＬＰガスセンサと比較して遅くなっている。
【０００７】
このように構成された不完全燃焼警報器の点検を行う場合、点検時に極めて毒性の高い一酸化炭素を持ち運ぶことが難しく、一般的にはブタンガスが充填された簡易ライターの内炎部分よりセラミック製のノズルの付いたスポイトで一酸化炭素を採取し、点検が行われている。このような作業で点検が行われる場合、前述の一酸化炭素の検知原理に伴う応答速度特性の問題および点検方法によっては、高濃度の一酸化炭素ガスがガスセンサへ暴露された場合等において、点検後の鳴り止みが非常に遅くなる場合もあり、点検作業に時間がかかるという問題が発生している。
【０００８】
そこで本発明は、上述した点検動作モード時の従来の問題点に鑑み、点検作業時間を短縮することができるガス警報器を提供することを目的としている。
【課題を解決するための手段】
【０００９】
上記課題を解決するためになされた請求項１記載の発明は、図１の基本構成図に示すように、ガスセンサ１２で検出されたガス濃度が所定の警報濃度以上となった際に、ガス濃度が異常となった旨の警報を報知するガス警報器において、通常動作モードと点検動作モードを切り換え制御する動作モード制御手段１６であって、ガス濃度の検出期間中所定のタイミングで前記ガスセンサ１２でガス濃度を検出し、通常動作モード時には、検出されたガス濃度が通常動作モード用警報濃度以上となった際に、ガス濃度が異常となった旨の警報を報知すると共に、点検動作モード時には、検出されたガス濃度が通常動作モード用警報濃度以上となった際に、ガス濃度が異常となった旨の警報を開始し、その後検出されたガス濃度が少なくとも２回連続して前回検出値以下となった場合に強制的に警報を停止する動作モード制御手段１６を備えたことを特徴とするガス警報器に存する。
【００１０】
請求項１記載の発明においては、ガスセンサ１２で検出されたガス濃度が所定の警報濃度以上となった際に、ガス濃度が異常となった旨の警報を報知するガス警報器において、通常動作モードと点検動作モードを切り換え制御する動作モード制御手段１６であって、ガス濃度の検出期間中所定のタイミングでガスセンサ１２でガス濃度を検出し、通常動作モード時には、検出されたガス濃度が通常動作モード用警報濃度以上となった際に、ガス濃度が異常となった旨の警報を報知すると共に、点検動作モード時には、検出されたガス濃度が通常動作モード用警報濃度以上となった際に、ガス濃度が異常となった旨の警報を開始し、その後検出されたガス濃度が少なくとも２回連続して前回検出値以下となった場合に強制的に警報を停止する動作モード制御手段１６を備えているので、従来より点検作業を短時間に行うことができる。
【００１１】
上記課題を解決するためになされた請求項２記載の発明は、前記ガスセンサは、２種類のガスに対するガス濃度を検出してガス濃度信号を生成するセンサ素子と、該センサ素子を加熱するヒータとを有することを特徴とする請求項１記載のガス警報器に存する。
【００１２】
請求項２記載の発明においては、ガスセンサ１２は、２種類のガス１１Ａ，１１Ｂに対するガス濃度を検出してガス濃度信号１２ａを生成するセンサ素子１２４と、センサ素子１２４を加熱するヒータ１２２とを有するので、１つのガスセンサで複数種類のガスに対するガス濃度を検出することができる。
【００１３】
上記課題を解決するためになされた請求項３記載の発明は、前記ガス濃度の検出期間中に前記２種類のガス１１Ａ，１１Ｂのそれぞれに対応して前記センサ素子１２４を加熱するための第１ガスモード加熱信号１６ａおよび第２ガスモード加熱信号１６ｂを生成する前記動作モード制御手段１６と、前記第１ガスモード加熱信号１６ａまたは前記第２ガスモード加熱信号１６ｂに基づいて、前記ヒータ１２２を作動するための加熱信号１４ａを生成する加熱駆動手段１４とを有することを特徴とする請求項２記載のガス警報器に存する。
【００１４】
請求項３記載の発明においては、ガス濃度の検出期間中に２種類のガス１１Ａ，１１Ｂのそれぞれに対応してセンサ素子１２４を加熱するための第１ガスモード加熱信号１６ａおよび第２ガスモード加熱信号１６ｂを生成する動作モード制御手段１６と、第１ガスモード加熱信号１６ａまたは第２ガスモード加熱信号１６ｂに基づいて、ヒータ１２２を作動するための加熱信号１４ａを生成する加熱駆動手段１４とを有するので、ガスセンサ１２のヒータ１２２を２種類のガス１１Ａ、１１Ｂのそれぞれの適正温度まで加熱することができる。
【００１５】
上記課題を解決するためになされた請求項４記載の発明は、前記動作モード制御手段１６は、前記第１ガスモード加熱信号１６ａが印加されている間または前記第２ガスモード加熱信号１６ｂが印加されている間の所定のタイミングで、前記ガスセンサ１２における前記ガス濃度信号１２ａの生成を命令するためのイネーブル信号１６ｅを生成するセンサ制御部１６２を有することを特徴とする請求項２記載のガス警報器に存する。
【００１６】
請求項４記載の発明においては、動作モード制御手段１６は、第１ガスモード加熱信号１６ａが印加されている間または第２ガスモード加熱信号１６ｂが印加されている間の所定のタイミングで、ガスセンサ１２におけるガス濃度信号１２ａの生成を命令するためのイネーブル信号１６ｅを生成するセンサ制御部１６２を有するので、所定のタイミングでガス濃度信号１２ａを生成して、検出ミスが発生しないようにすることができる。
【００１７】
上記課題を解決するためになされた請求項５記載の発明は、前記動作モード制御手段１６は、電源オン時にガス警報器１０を所定時間の間点検動作モードで動作させ、上記所定時間経過後前記ガス警報器１０を点検動作モードから通常動作モードに切り換えて動作させることを特徴とする請求項１から４のいずれか１項に記載のガス警報器に存する。
【００１８】
請求項５記載の発明においては、動作モード制御手段１６は、電源オン時にガス警報器１０を所定時間の間点検動作モードで動作させ、所定時間経過後ガス警報器１０を点検動作モードから通常動作モードに切り換えて動作させるので、ガス警報器を設置場所への取り付け時に、通常動作を行わせる前に、従来より短時間に点検を行うことができる。
【発明の効果】
【００１９】
請求項１記載の発明によれば、従来より点検作業を短時間に行うことができる。
【００２０】
請求項２記載の発明によれば、１つのガスセンサで複数種類のガスに対するガス濃度を検出することができる。
【００２１】
請求項３記載の発明によれば、ガスセンサ１２のヒータ１２２を２種類のガス１１Ａ、１１Ｂのそれぞれの適正温度まで加熱することができる。
【００２２】
請求項４記載の発明によれば、所定のタイミングでガス濃度信号１２ａを生成して、検出ミスが発生しないようにすることができる。
【００２３】
請求項５記載の発明によれば、ガス警報器を設置場所への取り付け時に、通常動作を行わせる前に、従来より短時間に点検を行うことができる。
【発明を実施するための最良の形態】
【００２４】
以下、本発明の実施の形態について図面に基づいて説明する。
【００２５】
図２は、本発明の実施の形態に係るガス警報器を示す回路図である。以下の説明では、第１ガス１１Ａとして一酸化炭素（ＣＯ）ガス、第２ガス１１Ｂとして都市ガス中に含まれるメタン（ＣＨ4 ）ガスのガス検知を行うガス警報器１０として、特に、ガスセンサ１２の温度を低温域と高温域に周期的に交互に変化させ、低温域で第１ガス１１Ａ（すなわち、ＣＯガス）の第１ガス濃度Ｃ１を検出し、さらに、高温域で第２ガス１１Ｂ（すなわち、ＣＨ4 ガス）の第２ガス濃度Ｃ２を検出すると共に、第１ガス濃度Ｃ１が所定の第１ガス警報濃度Ａ１以上となった際に、第１ガス濃度Ｃ１が異常となった旨の第１警報を報知し、第２ガス濃度Ｃ２が所定の第２ガス警報濃度Ａ２以上となった際に、第２ガス濃度Ｃ２が異常となった旨の第２警報を報知するガス検知装置１０を実施形態として、図２を参照して説明する。
【００２６】
図２のガス警報器１０は、ガスセンサ１２、加熱駆動手段１４、動作モード制御手段１６および警報手段１８を有する。
【００２７】
ガス警報器１０は、具体的には、ガスセンサ１２の温度を、７０乃至１００℃程度が５〜２０秒程度継続する低温域と、３５０乃至４００℃程度が３〜５秒程度継続する高温域とに周期的に交互に変化させ、このような低温域で第１ガス（ＣＯガス）１１Ａの第１ガス濃度Ｃ１（単位は［ｐｐｍ］）を検出し、さらに前述の高温域で第２ガス１１Ｂ（ＣＨ4 ガス）の第２ガス濃度Ｃ２（単位は［ｐｐｍ］）を検出すると共に、検出したＣＯガスの濃度（単位は［ｐｐｍ］）が所定の第１ガス警報濃度Ａ１以上となった際に、ＣＯガスが異常となった旨の第１警報を報知し、同様に、検出したＣＨ4 ガスの濃度が所定の第２ガス警報濃度Ａ２以上となった際に、ＣＨ4 ガス濃度が異常となった旨の第２警報を報知する機能を有する。
【００２８】
また、ガス警報器１０は、通常動作モードと点検動作モードとを有する。そして、第１ガス警報濃度Ａ１は、通常動作モード時および点検動作モード時共に、通常動作モード用第１ガス警報濃度Ａ１ｎに設定される。
【００２９】
ガスセンサ１２は、一例として、ＣＯガス１１ＡおよびＣＨ4 ガス１１Ｂを１つのセンサで検知するタイプ（ＣＯ／ＣＨ4 センサ）のガスセンサであって、ヒータ１２２とセンサ素子１２４を有する。ヒータ１２２は、その一端が加熱駆動手段１４のｐｎｐ型トランジスタＱ１のコレクタに接続されると共に、他端が接地されている。センサ素子１２４は、動作モード制御手段１６のＣＰＵ１６４の入力ポートＰ３に接続され、測定対象ガスのガス雰囲気（すなわち、ＣＯガス雰囲気またはＣＨ4 ガス雰囲気）に接触させることにより、これらのガス濃度の検出を行う機能を有する。具体的には、センサ素子１２４が検知対象ガスに接触すると、各々のガス雰囲気のガス濃度に反応して検出電圧が立ち上がり始め、この検出電圧がＣＰＵ１６４の入力ポートＰ３に印加される。
【００３０】
ガスセンサ１２の出力応答特性は、センサ素子１２４自体の出力応答特性、およびガス暴露のタイミングによって決定されるものである。
【００３１】
図３は、図２のガス警報器１０における、イネーブル信号１６ｅの生成タイミング、すなわち、ガスの検出タイミングを説明するためのタイミングチャートである。
【００３２】
加熱駆動手段１４は、エミッタが電源Ｖｃｃに接続され、コレクタがガスセンサ１２のヒータ１２２に接続されたｐｎｐ型トランジスタＱ１と、トランジスタＱ１のエミッタとベース間に接続された抵抗Ｒ１と、トランジスタＱ１のベースと動作モード制御手段１６のＣＰＵ１６４の出力ポートＰ４間に接続された抵抗Ｒ２とからなり、第１ガスモード加熱信号１６ａまたは第２ガスモード加熱信号１６ｂに基づいて、ヒータ１２２を作動するための加熱信号１４ａを生成する機能を有する。
【００３３】
トランジスタＱ１のベースにＣＰＵ１６４からの第１ガスモード加熱信号１６ａまたは第２ガスモード加熱信号１６ｂが与えられることにより、トランジスタＱ１は、第１ガスモード加熱信号１６ａまたは第２ガスモード加熱信号１６ｂに基づいて、ヒータ１２２を作動するための加熱信号１４ａを生成することができる。
【００３４】
第１ガスモード加熱信号１６ａは、図３に示すように、ヒータ１２２を加熱するための加熱電圧ＶＨＬ（単位は［Ｖ］）で与えられる。同様に、第２ガスモード加熱信号１６ｂは、加熱電圧ＶＨＬより高い加熱電圧ＶＨＨ（単位は［Ｖ］）で与えられる。
【００３５】
加熱駆動手段１４は、具体的には、図３に示すように、第１ガスモード加熱信号１６ａに応じて、ガスセンサ１２の温度を、７０乃至１００℃程度の低温域にＴ２（＝５〜２０秒）の期間だけ、ヒータ１２２を制御するための加熱信号１４ａを生成する。
【００３６】
同様に、第２ガスモード加熱信号１６ｂに応じて、ガスセンサ１２の温度を、３５０乃至４００℃程度の高温域にＴ１（＝３〜５秒）の期間だけ、ヒータ１２２を制御するための加熱信号１４ａを生成する。
【００３７】
動作モード制御手段１６は、ＣＰＵ１６４を中心にして構成されており、さらに、第１ガス警報濃度Ａ１に対応する第１ガス警報レベルＶ１を設定するための第１基準電圧生成部と、第２ガス警報濃度Ａ２に対応する第２ガス警報レベルＶ２を設定するための第２基準電圧生成部とを有する。
【００３８】
第１基準電圧生成部は、電源Ｖｃｃと接地間に直列接続された抵抗Ｒ７と、ＣＰＵ１６４の出力ポートＰ７からの制御信号で可変制御される電子ボリュームＶＲ１とから構成されている。第１ガス警報レベルＶ１は、この電子ボリュームＶＲ１を調節して得られるＶＲ１の抵抗値と抵抗Ｒ７の抵抗値との分圧比（すなわち、ＶＲ１／（ＶＲ１＋Ｒ７）によって決定され、ＣＰＵ１６４の入力ポートＰ１に出力される。
【００３９】
同様に、第２基準電圧生成部は、電源電圧Ｖｃｃと接地間に直列接続された抵抗Ｒ９と、ＣＰＵ１６４の出力ポートＰ７からの制御信号で可変制御される電子ボリュームＶＲ２と抵抗Ｒ９から構成されている。第２ガス警報レベルＶ２は、この電子ボリュームＶＲ２を調節して得られるＶＲ２の抵抗値と抵抗Ｒ９の抵抗値との分圧比（すなわち、ＶＲ２／（ＶＲ２＋Ｒ９）によって決定され、ＣＰＵ１６４の入力ポートＰ２に出力される。
【００４０】
動作モード制御手段１６は、前述の低温域で、ＣＯガス１１Ａのガス濃度である第１ガス濃度Ｃ１の検出期間Ｔ２中に、検出された第１ガス濃度Ｃ１（すなわち、ガス濃度信号１２ａ）が第１ガス警報濃度Ａ１に達した際に、ＣＯガス１１Ａが異常となった旨の第１警報を報知する機能を有する。
【００４１】
さらに、動作モード制御手段１６は、前述の高温域で、ＣＨ4 ガス１１Ｂのガス濃度である第２ガス濃度Ｃ２の検出期間Ｔ１中に、検出された第２ガス濃度Ｃ２（すなわち、ガス濃度信号１２ａ）が第２ガス警報濃度Ａ２に達した際に、ＣＨ4 ガスが異常となった旨の第２警報を報知する機能を有する。
【００４２】
動作モード制御手段１６に設けられたセンサ制御部１６２は、エミッタが電源Ｖｃｃに接続されかつコレクタが抵抗Ｒ４を介して負荷としてのセンサ素子１２４に接続されているｐｎｐ型トランジスタＱ２と、電源ＶｃｃとトランジスタＱ２のベース間に接続された抵抗Ｒ５と、トランジスタＱ２のベースとＣＰＵ１６４の出力ポートＰ５間に接続された抵抗Ｒ６と、センサ素子１２４にバイアス電流を与えるために電源Ｖｃｃとセンサ素子１２４間に接続された抵抗Ｒ３とから構成されている。
【００４３】
センサ制御部１６２は、通常動作モード時には、第１ガス濃度Ｃ１の検出期間Ｔ１中に、第１ガス１１Ａに係る第１ガスモード加熱信号１６ａが印加されている間の所定のタイミング（すなわち、図３中の「白丸」で示されるＣＯガス検出ポイント）でまたは第２ガスモード加熱信号１６ｂが印加されている間の所定のタイミング（すなわち、図３中の「黒丸」で示されるＣＨ4 ガス検出ポイント）で、ガスセンサ１２における第１ガス１１Ａまたは第２ガス１１Ｂに係るガス濃度信号１２ａの生成を命令するためのイネーブル信号１６ｅを生成する機能を有する。
【００４４】
ＣＰＵ１６４は、出力ポートＰ５からイネーブル信号１６ｅを出力してトランジスタＱ２を制御することにより、センサ素子１２４からのガス濃度信号１２ａを入力端子Ｐ３から取り込んでいる。
【００４５】
警報手段１８は、ＣＰＵ１６４の出力ポートＰ６にベースが接続されたｎｐｎ型トランジスタＱ３と、トランジスタＱ３のコレクタ負荷としてコレクタと電源Ｖｃｃ間に接続されたブザー１８２（図中Ｂｚ）から構成されている。
【００４６】
ＣＰＵ１６４は、第１ガスモード警報信号１６ｃまたは第２ガスモード警報信号１６ｄを出力端子Ｐ６からトランジスタＱ３のベースに与えて、警報音１８ａの発生を促す制御を行う。
【００４７】
次に、ガス警報器１０の動作について説明する。ガス警報器１０の動作を要約すると、ガス警報器１０の設置場所への取り付け時、ガスセンサ１２の動作、すなわち、ガスセンサ１２が正常にガス検知を行うかどうか、を確認するため、点検用ガスをガスセンサ１２に吹き付けるが、吹き付け時間やガス濃度によりガスセンサ１２の回復時間が異なる。
【００４８】
この実施の形態に関しては、点検動作モード時の点検ガスの吹き付けに対するガスセンサ１２の応答特性を考慮している。図４は、点検用ガスとしてＣＯガスを吹き付けた場合の半導体式ガスセンサからなるガスセンサ１２の応答特性の一例を示す。図４を見ると、点検時のガスセンサ応答特性は、点検用ガスの吹き付けと同時に急激に高出力となり、その後減衰していく。
【００４９】
そこで、実施の形態では、上述のような点検用ガスの吹き付けに対するガスセンサ１２の応答特性を利用して、点検動作モード時の警報の開始および停止を設定するものである。
【００５０】
図５は、点検動作モード時の警報の開始および停止の設定を説明する図であり、点検動作モード時の加熱信号１４ａのＣＯガス検知ポイントに対するガスセンサ１２の検出電圧の変化を示している。２段目警報設定点ＡＬＰ２は、通常動作モード用第１ガス警報濃度Ａ１ｎ（＝１５０ｐｐｍ）に相当し、１段目警報設定点ＡＬＰ１は、２段目警報設定点ＡＬＰ２を基準としてそれより所定値だけ低くＣＰＵ１６４内で設定された設定点である。
【００５１】
点検動作モード時には、ガスセンサ１２の検出電圧が、点検用ＣＯガスの吹き付けにより、ＣＯ検知ポイントＰ０における２段目警報設定点ＡＬＰ２を超えない検出値Ｖｋ−１から急激に上昇して、ＣＯ検知ポイントＰ１において２段目警報設定点ＡＬＰ２を超える検出値Ｖｋに達した場合、警報手段１８の警報が開始し（すなわち、ブザー１８２の鳴動を開始し）、その後に続くＣＯ検知ポイントＰ２，Ｐ３，Ｐ４，．．．で検出された検出値Ｖｋ＋１，Ｖｋ＋２，Ｖｋ＋３，．．．が少なくとも２回連続して前回検出値以下となった場合に、警報手段１８の警報を停止する（すなわち、ブザー１８２の鳴動を停止する）。
【００５２】
たとえば、図５の例では、ＣＰＵ１６４は、２段目警報設定点ＡＬＰ２を超えたＣＯ検知ポイントＰ１における検出値Ｖｋの検出時に、警報手段１８の警報を開始し（すなわち、ブザー１８２の鳴動を開始し）、その後に続くＣＯ検知ポイントＰ２，Ｐ３で検出された検出値Ｖｋ＋１，Ｖｋ＋２が連続して前回検出値以下となっているので、検出ポイントＰ３における検出値Ｖｋ＋２の検出時に、警報手段１８の警報を停止する（すなわち、ブザー１８２の鳴動を停止する）ように制御するのである。
【００５３】
以下、図６および７のフローチャートを参照して、本発明の実施の形態に係るガス警報器１０の動作を詳細に説明する。図６のフローチャートは、ＣＰＵ１６４で実行されるメインルーチンであり、図７のフローチャートは、図６のフローチャート中で実行されるサブルーチンである。
【００５４】
まず、ガス警報器１０を電源ＯＮし（ステップＳ３１）、次いで、ＣＰＵ１６４は、内蔵の点検動作モード用タイマーをスタートさせ（ステップＳ３２）、次いで、点検動作モード用タイマーのカウントにより点検動作モード期間としての２４０秒（４分）が経過したか否かを判定する（ステップＳ３３）。２４０秒（４分）経過していなければ、ＣＰＵ１６４は、点検動作モードにおけるガスセンサ１２の検出電圧（ガス濃度信号１２ａ）のレベル判定処理を実行する（ステップＳ４０）。
【００５５】
点検動作モードにおけるガスセンサ１２の検出電圧（ガス濃度信号１２ａ）のレベル判定処理は、図７に示すサブルーチンのフローチャートにしたがって実行される。図７においては、まず、ＣＰＵ１６４は、ガスセンサ１２からの検出値が２段目警報設定点ＡＬＰ２を超えたか否かを判定し（ステップＳ４０１）、検出値Ｖｋが２段目警報設定点ＡＬＰ２を超えた場合は、次いで、ＣＰＵ１６４は、出力ポートＰ６から制御信号を出力してトランジスタＱ３をオンになるように制御しブザー１８２を鳴動させることにより、ＣＯガス１１Ａの濃度Ｃ１が通常動作モード用第１ガス警報濃度Ａ１ｎ（＝１５０ｐｐｍ）以上の異常値になった旨の第１警報を開始する（ステップＳ４０２）。
【００５６】
次に、ＣＰＵ１６４は、検出値Ｖｋに対応するＣＯ検知ポイントＰ１に続くＣＯ検知ポイントＰ２における検出値Ｖｋ＋１が前回検出値Ｖｋ以下か否かを判定する（ステップＳ４０３）。ＣＯ検知ポイントＰ２における検出値Ｖｋ＋１が前回検出値Ｖｋ以下であれば（ステップＳ４０３のＹＥＳ）、次いでＣＰＵ１６４は、検出値Ｖｋ＋１に対応するＣＯ検知ポイントＰ２に続くＣＯ検知ポイントＰ３における検出値Ｖｋ＋２が前回検出値Ｖｋ＋１以下か否かを判定する（ステップＳ４０４）。
【００５７】
ＣＯ検知ポイントＰ３における検出値Ｖｋ＋２が前回検出値Ｖｋ＋１以下であれば（ステップＳ４０４のＹＥＳ）、次いでＣＰＵ１６４は、点検動作モード時の第１警報を停止し（ステップＳ４０５）、次いで、図６のメインルーチンに戻る。
【００５８】
一方、ステップＳ４０４で、ＣＯ検知ポイントＰ３における検出値Ｖｋ＋２が前回検出値Ｖｋ＋１以下でなければ（ステップＳ４０４のＮＯ）、次いでＣＰＵ１６４は、図６のメインルーチンに戻る。
【００５９】
また、ステップＳ４０３で、ＣＯ検知ポイントＰ２における検出値Ｖｋ＋１が前回検出値Ｖｋ以下でなければ（ステップＳ４０３のＮＯ）、次いでＣＰＵ１６４は、検出値Ｖｋ＋１に対応するＣＯ検知ポイントＰ２に続くＣＯ検知ポイントＰ３における検出値Ｖｋ＋２が前回検出値Ｖｋ＋１以下か否かを判定する（ステップＳ４０６）。
【００６０】
ＣＯ検知ポイントＰ３における検出値Ｖｋ＋２が前回検出値Ｖｋ＋１以下であれば（ステップＳ４０６のＹＥＳ）、次いでＣＰＵ１６４は、検出値Ｖｋ＋２に対応するＣＯ検知ポイントＰ３に続くＣＯ検知ポイントＰ４における検出値Ｖｋ＋３が前回検出値Ｖｋ＋２以下か否かを判定する（ステップＳ４０７）。
【００６１】
ＣＯ検知ポイントＰ４における検出値Ｖｋ＋３が前回検出値Ｖｋ＋２以下であれば（ステップＳ４０７のＹＥＳ）、次いでＣＰＵ１６４は、点検動作モード時の第１警報を停止し（ステップＳ４０５）、次いで、図６のメインルーチンに戻る。
【００６２】
一方、ステップＳ４０６で、ＣＯ検知ポイントＰ３における検出値Ｖｋ＋２が前回検出値Ｖｋ＋１以下でなければ（ステップＳ４０６のＮＯ）、次いでＣＰＵ１６４は、図６のメインルーチンに戻る。
【００６３】
また、ステップＳ４０７で、ＣＯ検知ポイントＰ４における検出値Ｖｋ＋３が前回検出値Ｖｋ＋２以下でなければ（ステップＳ４０７のＮＯ）、次いでＣＰＵ１６４は、図６のメインルーチンに戻る。
【００６４】
次に、再び図６のフローチャートに戻り、ステップＳ４０の処理後、次いでＣＰＵ１６４は、点検動作モード期間、すなわち２４０秒（４分）が経過したか否かを判定する（ステップＳ４１）。２４０秒（４分）経過していれば、ＣＰＵ１６４は、点検動作モード用タイマーをリセットし（ステップＳ４２）、次いで、動作モードを点検動作モードから通常動作モードに切り換え、通常動作モードによる処理を行う（ステップＳ１０）。
【００６５】
以上説明したように、本発明によれば、点検動作モード時の警報は、検出されたガス濃度が通常動作モード用警報濃度以上になった際に開始し、その後検出されたガス濃度が少なくとも２回連続して前回検出値以下となった場合に強制的に停止するように構成されるので、従来より点検作業を短時間に行うことができる。
【００６６】
以上の通り、本発明の実施の形態について説明したが、本発明はこれに限らず、種々の変形、応用が可能である。
【００６７】
たとえば、上述の実施の形態においては、第１および第２基準電圧生成部は、抵抗Ｒ７，Ｒ９と電子ボリュームＶＲ１，ＶＲ２で構成されているが、他の構成とすることができる。
【００６８】
また、上述の実施の形態において、警報手段１８は、音声による警報を報知するブザー１８２を備えているが、さらに、点灯光や点滅光等の光による警報を報知するためのＬＥＤ等を備えても良い。
【図面の簡単な説明】
【００６９】
【図１】本発明に係るガス警報器の機能ブロック図である。
【図２】参考例のガス警報器を示す回路図である。
【図３】図２のガス警報器における通常動作モード時のガスの検出タイミングを説明するためのタイミングチャートである。
【図４】点検用ガスとしてＣＯガスを吹き付けた場合の半導体式ガスセンサからなるガスセンサ１２の応答特性の一例を示す。
【図５】本発明の実施の形態に係るガス警報器における点検動作モード時の警報の開始および停止の設定を説明する図である。
【図６】本発明の実施の形態に係るガス警報器における動作を説明するフローチャートである。
【図７】本発明の実施の形態に係るガス警報器における動作を説明するフローチャートである。
【符号の説明】
【００７０】
１０    ガス警報器
１２    ガスセンサ
１４    加熱駆動手段
１６    動作モード制御手段
１８    警報手段
１２２  ヒータ
１２４  センサ素子
１２    センサ制御部
１８２  ブザー
【図１】
2007012094.tif 000003
【図２】
2007012094.tif 000004
【図３】
2007012094.tif 000005
【図４】
2007012094.tif 000006
【図５】
2007012094.tif 000007
【図６】
2007012094.tif 000008
【図７】
2007012094.tif 000009